(57)【要約】【課題】ＰＣ端末における表示面積を無駄に失うことがないようにする。通信が長期間途絶えている他のＰＣ端末のプレゼンス表示の消去をＰＣ端末からプレゼンスサーバへ依頼する必要をなくす。【解決手段】ユーザＡＡＡのＰＣ端末１４とこのユーザＡＡＡのＰＣ端末１４と通信を確立した他の端末（例えば、ユーザＢＢＢのＰＣ端末２４）との間の通信状況を監視する。ここで、ユーザＡＡＡのＰＣ端末１４とユーザＢＢＢの端末２４との間で所定期間（例えば、６ヶ月間）通信が行われなかったことを確認すると、プレゼンスサーバ５は、ユーザＢＢＢのＰＣ端末２４をオンラインリストから消去する。これにより、ユーザＡＡＡのＰＣ端末１４の画面上からユーザＢＢＢのＰＣ端末２４のプレゼンスが自動的に消去される。【選択図】　　　　図１
2004038622.tif 000002
【特許請求の範囲】
【請求項１】
ネットワークを介して通信可能な複数の端末と、前記ネットワークに接続され、所定の端末と通信を確立した他の端末およびこの他の端末間の通信に関わる状況を示すリストを作成するプレゼンスサーバとを備えたネットワークシステムにおいて、前記プレゼンスサーバから前記所定の端末に前記リストを送信し、このリストに記載された前記他の端末の通信に関わる状況を前記所定の端末の画面上に表示するプレゼンス表示方法であって、
前記プレゼンスサーバにおいて、
前記所定の端末とこの所定の端末と通信を確立した他の端末との間の通信状況を監視し、
前記所定の端末と所定期間通信が行われなかった端末を前記リストから消去するようにした
ことを特徴とするプレゼンス表示方法。
【請求項２】
ネットワークを介して通信可能な複数の端末と、前記ネットワークに接続され、所定の端末と通信を確立した他の端末およびこの他の端末間の通信に関わる状況を示すリストを作成するプレゼンスサーバとを備えたネットワークシステムにおいて、前記プレゼンスサーバから前記所定の端末に前記リストを送信し、このリストに記載された前記他の端末の通信に関わる状況を前記所定の端末の画面上に表示するプレゼンス表示方法であって、
前記プレゼンスサーバにおいて、
前記所定の端末とこの所定の端末と通信を確立した他の端末との間に通信許可期間を設定し、
この設定した通信許可期間を通信日時管理テーブルに記載し、
この通信日時管理テーブルに記載された通信許可期間と現時刻とを定期的にチェックし、現時刻が通信許可期間を過ぎた他の端末があった場合その端末を前記リストから消去する一方、
前記通信日時管理テーブルに記載された通信許可期間中に、その通信許可期間中の所定の端末が属するエリア内の別の通信端末と他の端末が属するエリア内の別の通信端末との間で前記ネットワークとは異なる別のネットワークを介して通信の要求があった場合、前記通信許可期間中の端末間の通信許可期間を延長するようにした
ことを特徴とするプレゼンス表示方法。
【請求項３】
ネットワークを介して通信可能な複数の端末と、前記ネットワークに接続され、所定の端末と通信を確立した他の端末およびこの他の端末間の通信に関わる状況を示すリストを作成するプレゼンスサーバとを備えたネットワークシステムにおいて、前記プレゼンスサーバから前記所定の端末に前記リストを送信し、このリストに記載された前記他の端末の通信に関わる状況を前記所定の端末の画面上に表示するプレゼンス表示方法であって、
前記プレゼンスサーバにおいて、
前記所定の端末とこの所定の端末と通信を確立した他の端末との間に通信許可期間を設定し、
この設定した通信許可期間を通信日時管理テーブルに記載し、
この通信日時管理テーブルに記載された通信許可期間と現時刻とを定期的にチェックし、現時刻が通信許可期間を過ぎた他の端末があった場合その端末を前記リストから消去する一方、
前記通信日時管理テーブルに記載された通信許可期間が経過した後に、その通信許可期間が経過した所定の端末が属するエリア内の別の通信端末と他の端末が属するエリア内の別の通信端末との間で前記ネットワークとは異なる別のネットワークを介して通信の要求があった場合、前記通信許可期間が経過した端末間の通信許可期間を再設定するようにした
ことを特徴とするプレゼンス表示方法。
【請求項４】
ネットワークを介して所定の端末と通信を確立した他の端末およびこの他の端末間の通信に関わる状況を示すリストを作成し、このリストを前記ネットワークを介して前記所定の端末に送信し、このリストに記載された前記他の端末の通信に関わる状況を前記所定の端末の画面上に表示させるプレゼンスサーバにおいて、
前記所定の端末とこの所定の端末と通信を確立した他の端末との間の通信状況を監視する手段と、
前記所定の端末と所定期間通信が行われなかった端末を前記リストから消去する手段と
を備えたことを特徴とするプレゼンスサーバ。
【請求項５】
ネットワークを介して所定の端末と通信を確立した他の端末およびこの他の端末間の通信に関わる状況を示すリストを作成し、このリストを前記ネットワークを介して前記所定の端末に送信し、このリストに記載された前記他の端末の通信に関わる状況を前記所定の端末の画面上に表示させるプレゼンスサーバにおいて、
前記所定の端末とこの所定の端末と通信を確立した他の端末との間に通信許可期間を設定する手段と、
設定された前記通信許可期間を通信日時管理テーブルに記載する手段と、
前記通信日時管理テーブルに記載された通信許可期間と現時刻とを定期的にチェックし、現時刻が通信許可期間を過ぎた他の端末があった場合その端末を前記リストから消去する手段と、
前記通信日時管理テーブルに記載された通信許可期間中に、その通信許可期間中の所定の端末が属するエリア内の別の通信端末と他の端末が属するエリア内の別の通信端末との間で前記ネットワークとは異なる別のネットワークを介して通信の要求があった場合、前記通信許可期間中の端末間の通信許可期間を延長する手段と
を備えたことを特徴とするプレゼンスサーバ。
【請求項６】
ネットワークを介して所定の端末と通信を確立した他の端末およびこの他の端末間の通信に関わる状況を示すリストを作成し、このリストを前記ネットワークを介して前記所定の端末に送信し、このリストに記載された前記他の端末の通信に関わる状況を前記所定の端末の画面上に表示させるプレゼンスサーバにおいて、
前記所定の端末とこの所定の端末と通信を確立した他の端末との間に通信許可期間を設定する手段と、
設定された前記通信許可期間を通信日時管理テーブルに記載する手段と、
前記通信日時管理テーブルに記載された通信許可期間と現時刻とを定期的にチェックし、現時刻が通信許可期間を過ぎた他の端末があった場合その端末を前記リストから消去する手段と、
前記通信日時管理テーブルに記載された通信許可期間が経過した後に、その通信許可期間が経過した所定の端末が属するエリア内の別の通信端末と他の端末が属するエリア内の別の通信端末との間で前記ネットワークとは異なる別のネットワークを介して通信の要求があった場合、前記通信許可期間が経過した端末間の通信許可期間を再設定する手段と
を備えたことを特徴とするプレゼンスサーバ。
【発明の詳細な説明】
【０００１】
【発明の属する技術分野】
この発明は、ネットワークを介してプレゼンスサーバから所定の端末へ、この所定の端末と通信を確立した他の端末のリストを送信し、所定の端末の画面上にリストに記載された他の端末の通信に関わる状況をプレゼンスとして表示するプレゼンス表示方法およびプレゼンスサーバに関するものである。
【０００２】
【従来の技術】
図１８にインスタントメッセージサービス（ＩＭＳ）を利用した従来の通信システムの概略を示す。同図において、１４はユーザＡＡＡが保有するパーソナルコンピュータ（以下、ＰＣ端末と呼ぶ）、２４はユーザＢＢＢが保有するＰＣ端末、３４はユーザＣＣＣが保有するＰＣ端末、４はインターネット（ＩＰ網）、５はインスタントメッセージサービスプロバイダ（ＩＭＳＰ）のプレゼンスサーバ（以下、ＰＳと呼ぶ）である。なお、ＩＭＳとは、ユーザがインターネットに接続しているときに着信したメッセージを、使用中のＰＣ端末の画面に表示し、これを受けたユーザが直ちに返信できるサービスである。
【０００３】
この通信システムにおいて、例えばユーザＡＡＡのＰＣ端末１４がＰＳ５を介してユーザＢＢＢのＰＣ端末２４との間でＩＭＳを利用した通信を確立すると、ＰＳ５はユーザＡＡＡ用のオンラインリストテーブルにユーザＢＢＢのＰＣ端末２４のリスト名としてユーザＢＢＢのユーザＩＤを追加し、このユーザＢＢＢのユーザＩＤにＰＣ端末２４からのメッセージに含まれたＰＣ端末２４の通信に関わる状況（例えば、在席中／離席中）を付したオンラインリストテーブルをユーザＡＡＡのＰＣ端末１４へ送る。これにより、ユーザＡＡＡのＰＣ端末１４の画面上には、ＰＳ５からのオンラインリストテーブルに記載されているユーザのＰＣ端末の通信に関わる状況（プレゼンス）が表示される。図１９（ａ）にユーザＡＡＡのＰＣ端末１４の画面上に表示されるオンラインリストの一例を示す。
【０００４】
【発明が解決しようとする課題】
しかしながら、上述した従来の通信システムでは、ユーザＡＡＡのＰＣ端末１４が他のＰＣ端末とＩＭＳを利用して通信を確立する毎に、ＰＳ５におけるユーザＡＡＡ用のオンラインリストテーブルが大きくなる。すなわち、ＩＭＳを利用して通信を一度確立すると、その後の通信の有無に拘わらず、通信を確立したユーザのＰＣ端末がオンラインリストテーブルに残る。このため、一度通信を確立したがその後の通信が長期間途絶えているような相手であっても、ユーザＡＡＡのＰＣ端末１４の画面上にそのユーザのＰＣ端末のプレゼンスが表示されるものとなる。この結果、他のＰＣ端末と通信を確立する毎に、ユーザＡＡＡのＰＣ端末１４の画面上に占めるオンラインリストの表示面積が大きくなって（図１９（ｂ）参照）、表示面積を無駄に失うことになり、作業効率が悪化するという問題が生じていた。
なお、ユーザＡＡＡのＰＣ端末１４の画面上から必要としないユーザのＰＣ端末のプレゼンス表示を消去することは可能であるが、この場合、ＰＣ端末１４からＰＳ５に対して、所望のユーザのＰＣ端末をオンラインリストテーブルから消去するように依頼しなければならず、手間がかかる。
【０００５】
本発明はこのような課題を解決するためになされたもので、その目的とするところは、ネットワークを介してプレゼンスサーバに接続された端末における表示面積を無駄に失うことのない、また通信が長期間途絶えている他の端末のプレゼンス表示の消去を端末からプレゼンスサーバへ依頼する必要のないプレゼンス表示方法およびプレゼンスサーバを提供することにある。
【０００６】
【課題を解決するための手段】
このような目的を達成するために、第１発明（請求項１および請求項４に係る発明）は、プレゼンスサーバにおいて、所定の端末とこの所定の端末と通信を確立した他の端末との間の通信状況を監視し、所定の端末と所定期間通信が行われなかった端末をリスト（オンラインリスト）から消去するようにしたものである。
【０００７】
この発明によれば、例えばユーザＡＡＡの端末を所定の端末とし、この所定の端末と通信を確立した他の端末をユーザＢＢＢの端末とした場合、ユーザＢＢＢの端末を追加したリスト、例えばその端末のリスト名としてユーザＢＢＢのユーザＩＤおよびその端末の通信に関わる状況を追加したオンラインリストがユーザＡＡＡの端末へ送られ、このオンラインリストに記載されたユーザＢＢＢの端末を含む他の端末のプレゼンスがユーザＡＡＡの端末の画面上に表示される。
【０００８】
プレゼンスサーバは、ユーザＡＡＡの端末とこのユーザＡＡＡの端末と通信を確立した他の端末との間の通信状況を監視する。ここで、ユーザＡＡＡの端末とユーザＢＢＢの端末との間で所定期間通信が行われなかったことを確認すると、プレゼンスサーバはユーザＢＢＢの端末をオンラインリストから消去する。これにより、ユーザＡＡＡの端末の画面上からユーザＢＢＢの端末のプレゼンスが自動的に消去される。
【０００９】
第２発明（請求項２および請求項５に係る発明）は、プレゼンスサーバにおいて、所定の端末とこの所定の端末と通信を確立した他の端末との間に通信許可期間を設定し、この設定した通信許可期間を通信日時管理テーブルに記載し、この通信日時管理テーブルに記載された通信許可期間と現時刻とを定期的にチェックし、現時刻が通信許可期間を過ぎた他の端末があった場合その端末をリスト（オンラインリスト）から消去する一方、通信日時管理テーブルに記載された通信許可期間中に、その通信許可期間中の所定の端末が属するエリア内の別の通信端末と他の端末が属するエリア内の別の通信端末との間で所定の端末と他の端末との間のネットワークとは異なる別のネットワークを介して通信の要求があった場合、通信許可期間中の端末間の通信許可期間を延長するようにしたものである。ここで、通信許可期間とは、所定の端末の画面上に他の端末の状況を表示し続けるために当該他の端末が当該所定の端末と通信を確立すべき期間を意味する。
【００１０】
この発明によれば、例えばユーザＡＡＡの端末を所定の端末とし、この所定の端末と通信を確立した他の端末をユーザＢＢＢの端末とした場合、ユーザＢＢＢの端末を追加したリスト、例えばその端末のリスト名としてユーザＢＢＢのユーザＩＤおよびその端末の通信に関わる状況を追加したオンラインリストがユーザＡＡＡの端末へ送られ、このオンラインリストに記載されたユーザＢＢＢの端末を含む他の端末のプレゼンスがユーザＡＡＡの端末の画面上に表示される。ここで、「端末の通信に関わる状況」の「通信」とは、ネットワークを介した何らかの通信であればよく、「状況」とは端末自体の状況およびその端末のユーザの状況（プレゼンス）を含む。
【００１１】
プレゼンスサーバは、ユーザＡＡＡの端末とこのユーザＡＡＡの端末と通信を確立した他の端末との間に通信許可期間（例えば、通信確立後から６ヶ月）を設定し、この設定した通信許可期間を通信日時管理テーブルに記載し、この通信日時管理テーブルに記載された通信許可期間と現時刻とを定期的にチェックする。現時刻が通信許可期間を過ぎた他の端末があった場合、例えば現時刻がユーザＡＡＡの端末とユーザＢＢＢの端末との間の通信許可期間を過ぎていた場合、プレゼンスサーバはユーザＢＢＢの端末をオンラインリストから消去する。
【００１２】
また、例えば通信日時管理テーブルに記載されたユーザＡＡＡの端末とユーザＢＢＢの端末との間の通信許可期間中に、その通信許可期間中のユーザＡＡＡの端末が属するエリア内の固定電話機や携帯電話機などの通信端末とユーザＢＢＢの端末が属するエリア内の固定電話機や携帯電話機などの通信端末との間で公衆電話交換網（ＰＳＴＮ網）や移動体通信網などを介して通信が行われようとすると、プレゼンスサーバは、通信許可期間中のユーザＡＡＡの端末とユーザＢＢＢの端末との間の通信許可期間を延長する。例えば、固定電話機や携帯電話機を使用して通信が行われた時点から６ヶ月間、ユーザＡＡＡの端末とユーザＢＢＢの端末との間の通信許可期間を延長する。
【００１３】
第３発明（請求項３および請求項６に係る発明）は、プレゼンスサーバにおいて、所定の端末とこの所定の端末と通信を確立した他の端末との間に通信許可期間を設定し、この設定した通信許可期間を通信日時管理テーブルに記載し、この通信日時管理テーブルに記載された通信許可期間と現時刻とを定期的にチェックし、現時刻が通信許可期間を過ぎた他の端末があった場合その端末をリスト（オンラインリスト）から消去する一方、通信日時管理テーブルに記載された通信許可期間が経過した後に、その通信許可期間が経過した所定の端末が属するエリア内の別の通信端末と他の端末が属するエリア内の別の通信端末との間で所定の端末と他の端末との間のネットワークとは異なる別のネットワークを介して通信の要求があった場合、通信許可期間が経過した端末間の通信許可期間を再設定するようにしたものである。
【００１４】
この発明によれば、例えばユーザＡＡＡの端末を所定の端末とし、この所定の端末と通信を確立した他の端末をユーザＢＢＢの端末とした場合、ユーザＢＢＢの端末を追加したリスト、例えばその端末のリスト名としてユーザＢＢＢのユーザＩＤおよびその端末の通信に関わる状況を追加したオンラインリストがユーザＡＡＡの端末へ送られ、このオンラインリストに記載されたユーザＢＢＢの端末を含む他の端末のプレゼンスがユーザＡＡＡの端末の画面上に表示される。
【００１５】
プレゼンスサーバは、ユーザＡＡＡの端末とこのユーザＡＡＡの端末と通信を確立した他の端末との間に通信許可期間（例えば、通信確立後から６ヶ月）を設定し、この設定した通信許可期間を通信日時管理テーブルに記載し、この通信日時管理テーブルに記載された通信許可期間と現時刻とを定期的にチェックする。現時刻が通信許可期間を過ぎた他の端末があった場合、例えば現時刻がユーザＡＡＡの端末とユーザＢＢＢの端末との間の通信許可期間を過ぎていた場合、プレゼンスサーバはユーザＢＢＢの端末をオンラインリストから消去する。
【００１６】
また、例えば通信日時管理テーブルに記載されたユーザＡＡＡの端末とユーザＢＢＢの端末との間の通信許可期間が経過した後に、その通信許可期間が経過したユーザＡＡＡの端末が属するエリア内の固定電話機や携帯電話機などの通信端末とユーザＢＢＢの端末が属するエリア内の固定電話機や携帯電話機などの通信端末との間でＰＳＴＮ網や移動体通信網などを介して通信が行われようとすると、プレゼンスサーバは、通信許可期間が経過したユーザＡＡＡの端末とユーザＢＢＢの端末との間の通信許可期間を再設定する。例えば、固定電話機や携帯電話機を使用して通信が行われた時点から６ヶ月間、ユーザＡＡＡの端末とユーザＢＢＢの端末との間の通信許可期間を復活させる。
【００１７】
【発明の実施の形態】
以下、本発明を図面に基づいて詳細に説明する。
〔実施の形態１：第１発明〕
図１は本発明（第１発明）の実施に用いる通信システムの概略を示す図である。同図において、図１８と同一符号は同一或いは同等構成要素を示し、その説明は省略する。
【００１８】
〔ＰＣ端末間のＩＭＳを利用した通信の確立〕
この通信システムにおいて、例えばユーザＡＡＡのＰＣ端末１４がＰＳ５を介してユーザＢＢＢのＰＣ端末２４との間でＩＭＳを利用した通信を確立すると、ＰＳ５は、ユーザＡＡＡのＰＣ端末１４とユーザＢＢＢのＰＣ端末２４との間の通信許可期間を通信確立後から６ヶ月として設定し、この通信許可期間をユーザＡＡＡ用の通信日時管理テーブルＴＢ１（図２参照）に記載する。
【００１９】
通信日時管理テーブルＴＢ１は、「ユーザＩＤ」と「通信日時」と「通信許可終了日時」を記載項目とし、ユーザＡＡＡのＰＣ端末１４から通信しようとする相手のユーザＩＤや固定電話番号，携帯電話番号などを登録すると、その登録した日時を通信日時として、またその通信日時から６ヶ月後を通信許可終了日時として、初期設定される。
【００２０】
ＰＳ５は、ユーザＡＡＡのＰＣ端末１４がＰＳ５を介して登録した相手のＰＣ端末との間でＩＭＳを利用した通信が確立されると、その通信を確立した日時を通信日時として、またその通信日時から６ヶ月後を通信許可終了日時として、通信日時管理テーブルＴＢ１の内容を書き替える。すなわち、通信しようとする相手のユーザＩＤや固定電話番号，携帯電話番号などを登録した後、ＩＭＳを利用してユーザＡＡＡのＰＣ端末１４とユーザＢＢＢの通信端末２４との間でＰＳ５を介して通信を確立すると、ユーザＡＡＡ用の通信日時管理テーブルＴＢ１にユーザＢＢＢのＰＣ端末２４との間の通信許可期間（通信日時から通信許可終了日時までの期間）が記載される。この通信許可期間の記載はＩＭＳを利用して通信を確立する毎に更新される。
【００２１】
図２の通信日時管理テーブルＴＢ１は、先にユーザＡＡＡのＰＣ端末１４とユーザＣＣＣのＰＣ端末３４との間のＩＭＳを利用した通信が確立され、その後、ユーザＡＡＡのＰＣ端末１４とユーザＢＢＢのＰＣ端末２４との間のＩＭＳを利用した通信が確立された例を示している。
【００２２】
ＰＳ５は、ユーザＡＡＡの通信日時管理テーブルＴＢ１にユーザＢＢＢのＰＣ端末２４との通信許可期間を記載した後、ユーザＢＢＢのＰＣ端末２４のリスト名（ユーザＢＢＢのユーザＩＤ）をユーザＡＡＡ用のオンラインリストテーブルＴＢ２に追加し（図３参照）、このリスト名に対応してＰＣ端末２４からのメッセージに含まれているＰＣ端末２４の通信に関わる状況（例えば、在席中／離席中）を付す。この例では、オンラインリストテーブルＴＢ２に既にユーザＣＣＣのＰＣ端末３４のリスト名および通信に関する状況が記載されており（図３（ａ））、これに追加する形でユーザＢＢＢのＰＣ端末２４のリスト名および通信に関する状況を記載する（図３（ｂ））。
【００２３】
以下では、このリスト名および通信に関する状況の記載を、オンラインリストテーブルへＰＣ端末を追加すると言う。また、このリスト名および通信に関する状況の記載を削除することを、オンラインリストテーブルからＰＣ端末を消去すると言う。
【００２４】
そして、ＰＳ５は、ユーザＢＢＢのＰＣ端末２４を追加したオンラインリストテーブルＴＢ２をユーザＡＡＡのＰＣ端末１４へ送信する。なお、ＰＳ５は、基本的に、オンラインリストテーブルＴＢ２が更新（追加、削除、変更）された場合に、ユーザＡＡＡのＰＣ端末１４へ送信する。ユーザＡＡＡのＰＣ端末１４は、ＰＳ５からのオンラインリストテーブルＴＢ２を受信し、この受信したオンラインリストテーブルＴＢ２に記載されているユーザＢＢＢのＰＣ端末２４およびユーザＣＣＣのＰＣ端末３４のプレゼンスを画面上に表示する（図４（ａ））。
【００２５】
なお、実際の信号の遣り取りとして、ＰＳ５は、ＰＣ端末１４からのＰＣ端末２４への通信要求（信号Ｓ１）を受けると、ＰＣ端末１４とＰＣ端末２４との間のＩＭＳを利用した通信を確立する。この際、ＰＣ端末２４に対してＰＣ端末１４へのプレゼンス表示の可否を問い合わせ（信号Ｓ２）、ＰＣ端末２４からのＰＣ端末１４へのプレゼンス表示可の応答（信号Ｓ３）を受けて、ＰＣ端末１４へＰＣ端末２４を追加したオンラインリストテーブルＴＢ２を送る（信号Ｓ４）。
【００２６】
〔通信許可期間を過ぎたＰＣ端末のオンラインリストテーブルからの消去〕
ＰＳ４は、ユーザＡＡＡのＰＣ端末１４とＩＭＳを利用して通信を確立した他のＰＣ端末との間、この例ではＰＣ端末１４とＰＣ端末２４との間およびＰＣ端末１４とＰＣ端末３４との間の通信状況を監視し、ユーザＡＡＡ用，ユーザＣＣＣ用の通信日時管理テーブルＴＢ１に記載されている通信許可期間を過ぎても新たな通信が行われなかったユーザのＰＣ端末をユーザＡＡＡ用，ユーザＢＢＢ用のオンラインリストテーブルＴＢ２から消去する。すなわち、通信日時管理テーブルＴＢ１に記載された通信許可期間と現時刻とを定期的にチェックし、現時刻が通信許可期間を過ぎた他のＰＣ端末があった場合そのＰＣ端末をオンラインリストテーブルＴＢ２から消去する。
【００２７】
例えば、ユーザＡＡＡ用の通信日時管理テーブルＴＢ１（図２）にはユーザＡＡＡのＰＣ端末１４とユーザＣＣＣのＰＣ端末３４との間の通信許可期間として、「２００２年３月５日」から「２００２年９月５日」までの６ヶ月間が記載されており、現時刻が「２００２年９月５日」を過ぎると、図５（ｂ）に示すように、ユーザＣＣＣのＰＣ端末３４がオンラインリストテーブルＴＢ２から自動的に消去される。
【００２８】
ＰＳ５は、このユーザＣＣＣのＰＣ端末３４を消去したオンラインリストテーブルＴＢ２をユーザＡＡＡのＰＣ端末１４へ送る。ユーザＡＡＡのＰＣ端末１４は、ＰＳ５からのオンラインリストテーブルＴＢ２を受信し、この受信したオンラインリストテーブルＴＢ２に従って、ユーザＣＣＣのＰＣ端末３４のプレゼンスを画面上から消去する（図４（ｂ））。
【００２９】
以上の説明から分かるように、この実施の形態１の通信システムでは、ユーザＡＡＡのＰＣ端末１４と一度通信を確立したがその後の通信が長期間途絶えたＰＣ端末があった場合、ユーザＡＡＡのＰＣ端末１４の画面上からそのＰＣ端末のプレゼンスが自動的に消去されるようになる。これにより、ＰＣ端末１４において表示面積を無駄に失うということがなくなり、作業効率の悪化が防がれる。また、ユーザＡＡＡのＰＣ端末１４からＰＳ５に対して、通信が長期間途絶えているユーザのＰＣ端末をオンラインリストテーブルＴＢ２から消去するように依頼する必要がなく、手間もかかからない。
【００３０】
〔実施の形態２：第２発明、第３発明〕
図６は本発明（第２発明、第３発明）の実施に用いる通信システムの概略を示す図である。同図において、図１と同一符号は同一或いは同等構成要素を示し、その説明は省略する。
【００３１】
図６において、１はユーザＡＡＡのＰＣ端末１４が属するエリア、２はユーザＢＢＢのＰＣ端末２４が属するエリア、３はユーザＣＣＣのＰＣ端末３４が属するエリアである。エリア１には、ＰＣ端末１４とは別の通信端末として、ユーザＡＡＡが保有する固定電話機１６と携帯電話機１７が設けられている。エリア２には、ＰＣ端末２４とは別の通信端末として、ユーザＢＢＢが保有する固定電話機２６と携帯電話機２７が設けられている。エリア３には、ＰＣ端末３４とは別の通信端末として、ユーザＣＣＣが保有する固定電話機３６と携帯電話機３７が設けられている。
【００３２】
なお、エリア１，２，３において携帯電話機１７，２７，３７は移動端末であって、使用される場所は特定できない。したがって、エリア１，２，３は固定的なものではなく、携帯電話機１７，２７，３７の移動位置によって変化する。本発明では、このような変化するエリアを含めて、ユーザのＰＣ端末が属するエリアと呼んでいる。換言するならば、エリアとは、所定のユーザによって使用される複数の端末装置のグループと呼ぶこともできる。
【００３３】
図６において、６はＰＳＴＮ網（公衆電話交換網）、７は移動体通信網、４６はＩＰ網４とＰＳＴＮ網６との網間のゲートウェイ（ＧＷ）、４７はＩＰ網４と移動体通信網７との網間のＧＷ、６１はエリア１の固定電話機１６を管轄するサービス制御ポイント（ＳＣＰ）、６２はエリア２の固定電話機２６を管轄するＳＣＰ、７１は移動通信網７のＳＣＰ、７２はエリア１の携帯電話機１７がアクセスする移動体通信網７の基地局、７３はエリア２の携帯電話機２７がアクセスする移動体通信網７の基地局である。
【００３４】
なお、この例では、６１，６２をＳＣＰとしているが、固定電話機１６，２６を収容する交換局としてもよい。また、この通信システムにおいて、ユーザＡＡＡのＰＣ端末１４やユーザＢＢＢのＰＣ端末２４、ユーザＣＣＣのＰＣ端末３４には、ＩＰ網４を介してインスタントメッセージクライアントソフトがダウンロードされている。ＰＣ端末１４，２４，３４は、このダウンロードされたインスタントメッセージクライアントソフトに従って、以下に説明する処理動作を実行する。
【００３５】
〔ＩＭＳ自動更新サービスを利用する際のユーザ登録〕
ユーザＡＡＡは、ＰＣ端末１４から自分のユーザＩＤ、パスワード、メールアドレス、固定電話機１６の電話番号（固定電話番号）、携帯電話機１７の電話番号（携帯電話番号）を入力し、ＩＰ網４を介してＰＳ５へ送信する。すると、ＰＳ５では、ユーザＡＡＡからこれらの情報を受信し、ユーザＡＡＡ用のＩＭＳユーザ管理テーブルＴＢ３（図８参照）を作成する（図７に示すステップ７０１）。
【００３６】
次に、ユーザＡＡＡは、ＰＣ端末１４から通信相手であるユーザＢＢＢのユーザＩＤ、固定電話番号、携帯電話番号を入力し、ＩＰ網４を介してＰＳ５へ送信する。すると、ＰＳ５では、ユーザＡＡＡからのこれらの情報を受信し、ＰＳ５のＩＰアドレスを付けた通信相手のユーザＩＤを含む第１のユーザ管理テーブルＴＢ４１（図９（ａ））と第２のユーザ管理テーブルＴＢ４２（図９（ｂ））作成し、第１のユーザ管理テーブルＴＢ４１をＧＷ４６を通してＰＳＴＮ網６のＳＣＰ６１に送信し、第２のユーザ管理テーブルＴＢ４２をＧＷ４７を通して移動体通信網７のＳＣＰ７１に送信する（ステップ７０２）。ＳＣＰ６１，７１は送信されてきたユーザ管理テーブルＴＢ４１，ＴＢ４２をユーザＡＡＡ用のユーザ管理テーブルとして管理する。
【００３７】
次に、ＰＳ５は、ユーザＡＡＡ用の通信日時管理テーブルＴＢ１（図１０）を作成する（ステップ７０３）。この通信日時管理テーブルＴＢ１において、ユーザＢＢＢとの通信日時はユーザＢＢＢの固定電話番号や携帯電話番号の登録日時とし、その登録日時から６ヶ月後をユーザＢＢＢとの通信許可終了日時とする。また、ユーザＣＣＣとの通信日時はユーザＣＣＣの固定電話番号や携帯電話番号の登録日時とし、その登録日時から６ヶ月後をユーザＣＣＣとの通信許可終了日時とする。
【００３８】
そして、ＰＳ５は、通信日時管理テーブルＴＢ１を参照し、現時刻が通信日時管理テーブルＴＢ１に記載されている通信許可期間内のユーザＩＤを抽出し、この抽出したユーザＩＤをＰＣ端末のリスト名とするオンラインリストテーブルＴＢ２（図１１）を作成し、この作成したオンラインリストテーブルＴＢ２をＩＰ網４を介してユーザＡＡＡのＰＣ端末１４へ送信する（ステップ７０４）。なお、この場合、オンラインリストテーブルＴＢ２中の状態表示はデフォルト値である「在席中」とする。
【００３９】
〔ＰＣ端末間のＩＭＳを利用した通信の確立〕
上述したユーザ登録後、例えばユーザＡＡＡのＰＣ端末１４がＩＰ網４を経由し、ＰＳ５を介してユーザＢＢＢのＰＣ端末２４との間でＩＭＳを利用した通信を確立すると、ＰＳ５は、あらためてユーザＡＡＡのＰＣ端末１４とユーザＢＢＢのＰＣ端末２４との間の通信許可期間をこの通信確立後から６ヶ月として設定し、この通信許可期間をユーザＡＡＡ用の通信日時管理テーブルＴＢ１に記載する。すなわち、初期設定されているユーザＡＡＡのＰＣ端末１４とユーザＢＢＢのＰＣ端末２４との間の通信許可期間を更新し、通信を確立した時点から６ヶ月間をユーザＡＡＡのＰＣ端末１４とユーザＢＢＢのＰＣ端末２４との間の通信許可期間として記載する（図１２参照）。
【００４０】
同様に、ユーザＡＡＡのＰＣ端末１４がＩＰ網４を経由し、ＰＳ５を介してユーザＣＣＣのＰＣ端末３４との間でＩＭＳを利用した通信を確立すると、ＰＳ５は、あらためにユーザＡＡＡのＰＣ端末１４とユーザＣＣＣのＰＣ端末３４との間の通信許可期間をこの通信確立後から６ヶ月として設定し、この通信許可期間をユーザＡＡＡ用の通信日時管理テーブルＴＢ１に記載する。すなわち、初期設定されているユーザＡＡＡのＰＣ端末１４とユーザＣＣＣのＰＣ端末３４との間の通信許可期間を更新し、通信を確立した時点から６ヶ月間をユーザＡＡＡのＰＣ端末１４とユーザＣＣＣのＰＣ端末３４との間の通信許可期間として記載する。
【００４１】
〔通信許可期間を過ぎたＰＣ端末のオンラインリストテーブルからの消去〕
ＰＳ５は、ユーザＡＡＡのＰＣ端末１４と通信を確立した他のＰＣ端末との間、この例ではＰＣ端末１４とＰＣ端末２４との間およびＰＣ端末１４とＰＣ端末３４との間の通信状況を監視し、ユーザＡＡＡ用の通信日時管理テーブルＴＢ１に記載されている通信許可期間を過ぎても新たな通信が行われなかったユーザのＰＣ端末をオンラインリストテーブルＴＢ２から消去する。すなわち、通信日時管理テーブルＴＢ１に記載された通信許可期間と現時刻とを定期的にチェックし、現時刻が通信許可期間を過ぎた他のＰＣ端末があった場合、そのＰＣ端末をオンラインリストテーブルＴＢ２から消去する。
【００４２】
例えば、図１２に示したユーザＡＡＡ用の通信日時管理テーブルＴＢ１にはユーザＡＡＡのＰＣ端末１４とユーザＣＣＣのＰＣ端末３４との間の通信許可期間として、「２００１年１１月５日」から「２００２年５月５日」までの６ヶ月間が記載されており、現時刻が「２００２年５月５日」を過ぎると、図１３に示すように、ユーザＣＣＣのＰＣ端末３４がオンラインリストテーブルＴＢ２から自動的に消去される。
【００４３】
ＰＳ５は、このユーザＣＣＣのＰＣ端末３４を消去したオンラインリストテーブルＴＢ２（図１３（ｂ））をユーザＡＡＡのＰＣ端末１４へ送る。ユーザＡＡＡのＰＣ端末１４は、ＰＳ５からのオンラインリストテーブルＴＢ２を受信し、この受信したオンラインリストテーブルＴＢ２に従って、ユーザＣＣＣのＰＣ端末３４のプレゼンスを画面上から消去する。
【００４４】
〔ＩＰ網以外の通信網を介して通信が行われた時の通信許可期間の再設定〕
一方、例えばＰＣ端末１４が属するエリア１の固定電話機１６とＰＣ端末２４が属するエリア２の固定電話機２６との間でＰＳＴＮ網６を介して通信が行われようとすると、ＰＳＴＮ網６からＰＳ５に対してあらかじめ登録されたユーザ間で通信が行われようとしている旨が通知され、ＰＳ５は通信日時管理テーブルＴＢ１に記載されているユーザＡＡＡのＰＣ端末１４とユーザＢＢＢのＰＣ端末２４との間の通信許可期間を書き替え、その時点から６ヶ月間を通信許可期間として再設定する。
【００４５】
図１４はユーザＡＡＡの固定電話機１６から発信した時のＰＳＴＮ網６のＳＣＰ６１の動作フロー図である。ユーザＡＡＡの固定電話機１６から発信すると、ＰＳＴＮ網６のＳＣＰ６１は、ユーザＡＡＡ用のユーザ管理テーブルＴＢ４１（図９（ａ））をチェックし（ステップ４０１）、ユーザ管理テーブルＴＢ４１に相手先の電話番号があれば、相手のユーザＩＤ、通話日時をＩＰパケット化し、ユーザ管理テーブルＴＢ４１に記載されたＰＳ５のアドレスに向けて、このＩＰパケットをＧＷ４６からＩＰ網４に入る経路で送るとともに（ステップ４０２）、接続動作に入る（ステップ４０４）。ユーザ管理テーブルＴＢ４１に相手先の電話番号がなかった場合には、ＰＳ５への通知を行うことなく、接続動作に入る（ステップ４０４）。
【００４６】
図１５はユーザＡＡＡの携帯電話機１７から発信した時の移動体通信網７のＳＣＰ７１の動作フロー図である。携帯電話機１７から発信すると、移動体通信網７のＳＣＰ７１は、ユーザＡＡＡ用のユーザ管理テーブルＴＢ４２（図９（ｂ））をチェックし（ステップ５０１）、ユーザ管理テーブルＴＢ４２に相手先の電話番号があれば、相手のユーザＩＤ、通話日時をＩＰパケット化し、ユーザ管理テーブルＴＢ４２に記載されたＰＳ５のアドレスに向けて、このＩＰパケットをＧＷ４７からＩＰ網４に入る経路で送るとともに（ステップ５０２）、接続動作に入る（ステップ５０４）。ユーザ管理テーブルＴＢ４２に相手先の電話番号がなかった場合には、ＰＳ５への通知を行うことなく、接続動作に入る（ステップ５０４）。
【００４７】
図１６（ａ）はＰＳ５がＰＳＴＮ網６のＳＣＰ６１や移動体通信網７のＳＣＰ７１からユーザＩＤや通話日時を含むＩＰパケットを受信した時の動作フロー図である。
【００４８】
ＰＳ５は、ユーザＡＡＡの固定電話機１６から発信した時の相手のユーザＩＤや通話日時を含むＩＰパケットをＳＣＰ６１から受信すると（ステップ６０１）、あるいはユーザＡＡＡの携帯電話機１７から発信した時の相手のユーザＩＤや通話日時を含むＩＰパケットをＳＣＰ７１から受信すると（ステップ６０１）、ユーザＡＡＡ用の通信日時管理管理テーブルＴＢ１（図１６（ｂ））におけるユーザＡＡＡのＰＣ端末１４と相手のユーザのＰＣ端末との間の通信許可期間を書き替える（ステップ６０２）。
【００４９】
例えば、ユーザＡＡＡの固定電話機１６とユーザＢＢＢの固定電話機２６との間で通信が行われようとすると、ＰＳ５は、ユーザＡＡＡ用の通信日時管理管理テーブルＴＢ１のユーザＢＢＢに対する通信開始日時を現時刻とし、現時刻から６ヶ月後の日時を通信許可終了日時とする。
【００５０】
〔通信許可期間の延長〕
ここで、ユーザＡＡＡのＰＣ端末１４とユーザＢＢＢのＰＣ端末２４との間の通信許可期間中に、ユーザＡＡＡの固定電話機１６とユーザＢＢＢの固定電話機２６との間で通信が行われようとすると、ＰＳ５は、その時点から６ヶ月先までユーザＡＡＡのＰＣ端末１４とユーザＢＢＢのＰＣ端末２４との通信許可期間を延長する。
【００５１】
この通信許可期間の延長後、ＰＳ５は、ユーザＢＢＢのＰＣ端末２４がオンラインリストテーブルＴＢ２（図１０（ｃ））に記載されていることを確認のうえ（ステップ６０３のＮＯ）、このオンラインリストテーブルＴＢ２をユーザＡＡＡのＰＣ端末１４へ送信する（ステップ６０５）。なお、この通信許可期間の延長の場合には、必ずしもオンラインリストテーブルＴＢ２を送らなくてもよい。送る場合には、従前のものが送られるものとなる。
【００５２】
〔通信許可期間の再設定（復活）〕
ユーザＡＡＡのＰＣ端末１４とユーザＢＢＢのＰＣ端末２４との間の通信許可期間が経過した後に、ユーザＡＡＡの固定電話機１６とユーザＢＢＢの固定電話機２６との間で通信が行われようとすると、ＰＳ５は、その時点から６ヶ月先までをユーザＡＡＡのＰＣ端末１４とユーザＢＢＢのＰＣ端末２４との間の通信許可期間として再設定（復活）する。
【００５３】
この通信許可期間の再設定後、ＰＳ５は、ユーザＢＢＢのＰＣ端末２４がオンラインリストテーブルＴＢ２（図１６（ｄ））に記載されていないことを確認し（ステップ６０３のＹＥＳ）、ユーザＢＢＢのＰＣ端末２４をオンラインリストテーブルＴＢ２に追加し（図１６（ｅ）：ステップ６０４）、このユーザＢＢＢのＰＣ端末２４を追加したオンラインリストテーブルＴＢ２をユーザＡＡＡのＰＣ端末１４へ送信する（ステップ６０５）。なお、この場合、オンラインリストテーブルＴＢ２中のユーザＢＢＢのＰＣ端末２４の表示状態は、ＰＣ端末２４にアクセスして取得する。これにより、ユーザＡＡＡのＰＣ端末１４の表示画面には、ユーザＢＢＢのＰＣ端末１４のプレゼンスが再び表示され始める。
【００５４】
図１７（ａ）はＰＳ５が定期的に行う通信許可期間と現時刻とのチェック処理動作を示すフロー図である。ＰＳ５は、定期的に現時刻とユーザＡＡＡ用の通信日時管理テーブルＴＢ１（図１７（ｂ））に記載されている通信許可期間をチェックし（ステップ７０１）、現時刻が通信許可期間を過ぎた他のＰＣ端末があれば（ステップ７０２のＹＥＳ）、ユーザＡＡＡ用のオンラインリストテーブルＴＢ２（図１７（ｃ））からその通信許可期間を過ぎたユーザのＰＣ端末を消去し（ステップ７０３）、ユーザＡＡＡのＰＣ端末１４へ送信する（ステップ７０４）。
【００５５】
例えば、現時刻が通信許可期間を過ぎた他のＰＣ端末がユーザＢＢＢのＰＣ端末２４であれば、オンラインリストテーブルＴＢ２（図１７（ｃ））から通信許可期間を過ぎたユーザＢＢＢのＰＣ端末２４を消去し（図１７（ｄ））、このユーザＢＢＢのＰＣ端末２４を消去したオンラインリストテーブルＴＢ２をユーザＡＡＡのＰＣ端末１４へ送信する。
【００５６】
現時刻が通信許可期間を過ぎた他のＰＣ端末がなければ（ステップ７０２のＮＯ）、オンラインリストテーブルＴＢ２（図１７（ｃ））は更新せずに、ユーザＡＡＡのＰＣ端末１４へ送信する（ステップ７０４）。
【００５７】
なお、ユーザＢＢＢのＰＣ端末２４を消去したオンラインリストテーブルＴＢ２をユーザＡＡＡのＰＣ端末１４へ送信した後、ＰＣ端末１４とＰＣ端末２４との間でＩＭＳを利用して通信が確立されれば、ユーザＡＡＡ用の通信日時管理テーブルＴＢ１におけるユーザＢＢＢに対する通信日時と通信許可終了日時、すなわち通信許可期間は再設定される。
【００５８】
以上の説明から分かるように、この実施の形態２の通信システムでは、実施の形態１と同様の効果が得られる他、一度ユーザＡＡＡのＰＣ端末１４とユーザＢＢＢのＰＣ端末２４やユーザＣＣＣのＰＣ端末３４との間でＩＭＳを利用した通信が確立されると、そのＰＣ端末間の通信許可期間の延長や再設定を固定電話機や携帯電話機を用いて行うことができるという特徴を有している。
【００５９】
すなわち、ユーザＡＡＡのＰＣ端末１４の画面上にユーザＢＢＢのＰＣ端末２４のプレゼンスが表示されている場合、固定電話機１６や携帯電話機１７によってユーザＢＢＢと連絡を取ろうとすれば、その時点からユーザＡＡＡのＰＣ端末１４とユーザＢＢＢのＰＣ端末２４との間の通信許可期間が６ヶ月間延長されるものとなる。これにより、ＰＣ端末１４とＰＣ端末２４との間でＩＭＳを利用した通信をあまり行っていなくても、固定電話機１６や携帯電話機１７によってユーザＢＢＢとの連絡をある程度行っていれば、ユーザＡＡＡのＰＣ端末１４の画面上からユーザＢＢＢのＰＣ端末２４のプレゼンスが消去されてしまうという問題が生じなくなる。
【００６０】
また、ユーザＡＡＡのＰＣ端末１４の画面上からユーザＢＢＢのＰＣ端末２４のプレゼンスの表示が消去されても、固定電話機１６や携帯電話機１７によってユーザＢＢＢと連絡を取ろうとすれば、ユーザＡＡＡのＰＣ端末１４の画面上にユーザＢＢＢのＰＣ端末２４のプレゼンスの表示を復活させることができる。
【００６１】
なお、実施の形態１や２においては、ユーザＡＡＡのＰＣ端末１４を本発明でいう所定の端末とし、ユーザＢＢＢのＰＣ端末２４やユーザＣＣＣのＰＣ端末３４を本発明でいう他の端末とした例で説明したが、ユーザＢＢＢのＰＣ端末２４やユーザＣＣＣのＰＣ端末３４を本発明でいう所定の端末した場合にも、同様の処理動作が行われることは言うまでもない。また、実施の形態１や２では、通信許可期間を６ヶ月としたが、６ヶ月に限られるものでもない。
【００６２】
【発明の効果】
以上説明したことから明らかなように本発明によれば、プレゼンスサーバにおいて、所定の端末とこの所定の端末と通信を確立した他の端末との間の通信状況を監視し、所定の端末と所定期間通信が行われなかった端末をリストから消去するようにしたので、ネットワークを介してプレゼンスサーバに接続された端末における表示面積を無駄に失うことがなくなり、また端末からプレゼンスサーバへ他の端末のプレゼンス表示の消去を依頼する必要がなくなり、手間もかからない。
【００６３】
また、本発明によれば、通信日時管理テーブルに記載された通信許可期間中に、その通信許可期間中の所定の端末が属するエリア内の別の通信端末と他の端末が属するエリア内の別の通信端末との間でネットワークとは異なる別のネットワークを介して通信の要求があった場合、通信許可期間中の端末間の通信許可期間が延長されるものとなり、所定の端末と他の端末との間でＩＭＳを利用した通信をあまり行っていなくても、固定電話機や携帯電話機によってユーザとの連絡をある程度行っていれば、所定の端末の画面上から他の端末のプレゼンスが消去されてしまうという問題が生じなくなる。
【００６４】
また、本発明によれば、通信日時管理テーブルに記載された通信許可期間が経過した後に、その通信許可期間が経過した所定の端末が属するエリア内の別の通信端末と他の端末が属するエリア内の別の通信端末との間で別のネットワークを介して通信の要求があった場合、通信許可期間が経過した端末間の通信許可期間が再設定されるものとなり、所定の端末の画面上から他の端末のプレゼンスの表示が消去されても、固定電話機や携帯電話機によってユーザと連絡を取ろうとすれば、所定の端末の画面上に他の端末のプレゼンスの表示を復活させることができるようになる。
【図面の簡単な説明】
【図１】本発明（第１発明）の実施に用いる通信システムの概略（実施の形態１）を示す図である。
【図２】この通信システムにおいてプレゼンスサーバが作成するユーザＡＡＡ用の通信日時管理テーブルを例示する図である。
【図３】プレゼンスサーバが作成するオンラインリストテーブルおよびこのオンラインリストテーブルへのＰＣ端末の追加を説明する図である。
【図４】この通信システムにおいてユーザＡＡＡのＰＣ端末に表示されるオンラインリストを例示する図である。
【図５】オンラインリストテーブルからのＰＣ端末の消去を説明する図である。
【図６】本発明（第２発明、第３発明）の実施に用いる通信システムの概略（実施の形態２）を示す図である。
【図７】ＩＭＳ自動更新サービスを利用する際のプレゼンスサーバにおけるユーザ登録動作を示すフローチャートである。
【図８】プレゼンスサーバが作成するユーザＡＡＡ用のＩＭＳユーザ管理テーブルを例示する図である。
【図９】プレゼンスサーバが作成するユーザＡＡＡ用のユーザ管理テーブルを例示する図である。
【図１０】プレゼンスサーバが作成するユーザＡＡＡ用の通信日時管理テーブル（初期設定）を例示する図である。
【図１１】プレゼンスサーバが作成するユーザＡＡＡ用のオンラインリストテーブルを例示する図である。
【図１２】プレゼンスサーバが作成するユーザＡＡＡ用の通信日時管理テーブルを例示する図である。
【図１３】オンラインリストテーブルへのＰＣ端末の追加を説明する図である。
【図１４】ユーザＡＡＡの固定電話機から発信した時のＰＳＴＮ網のＳＣＰの動作を示すフローチャートである。
【図１５】ユーザＡＡＡの携帯電話機から発信した時の移動体通信網のＳＣＰの動作を示すフローチャートである。
【図１６】プレゼンスサーバがＰＳＴＮ網のＳＣＰや移動体通信網のＳＣＰからユーザＩＤや通話日時を含むＩＰパケットを受信した時の動作を示すフローチャートである。
【図１７】プレゼンスサーバが定期的に行う通信許可期間と現時刻とのチェック処理動作を示すフローチャートである。
【図１８】ＩＭＳを利用した従来の通信システムの概略を示す図である。
【図１９】従来の通信システムにおいてユーザＡＡＡのＰＣ端末に表示されるオンラインリストを例示する図である。
【符号の説明】
１，２，３…エリア、１４，２４，３４…ＰＣ端末、１６，２６，３６…固定電話機、１７，２７，３７…携帯電話機、４…インターネット（ＩＰ網）、４６，４７…ゲートウェイ（ＧＷ）、５…プレゼンスサーバ（ＰＳ）、６…ＰＳＴＮ網（公衆電話交換網）、６１，６２…サービス制御ポイント（ＳＣＰ）、７…移動体通信網、７１…サービス制御ポイント（ＳＣＰ）、７２，７３…基地局、ＴＢ１…通信日時管理テーブル、ＴＢ２…オンラインリストテーブル、ＴＢ３…ＩＭＳユーザ管理テーブル、ＴＢ４１，ＴＢ４２…ユーザ管理テーブル。
【図１】
2004038622.tif 000003
【図２】
2004038622.tif 000004
【図３】
2004038622.tif 000005
【図４】
2004038622.tif 000006
【図５】
2004038622.tif 000007
【図６】
2004038622.tif 000008
【図７】
2004038622.tif 000009
【図８】
2004038622.tif 000010
【図９】
2004038622.tif 000011
【図１０】
2004038622.tif 000012
【図１１】
2004038622.tif 000013
【図１２】
2004038622.tif 000014
【図１３】
2004038622.tif 000015
【図１４】
2004038622.tif 000016
【図１５】
2004038622.tif 000017
【図１６】
2004038622.tif 000018
【図１７】
2004038622.tif 000019
【図１８】
2004038622.tif 000020
【図１９】
2004038622.tif 000021